(57)【要約】【課題】既存の梯子に特別な加工を要することなく、梯子に対する取付け状態の確実化及び運搬時の取扱いの利便性を大幅に向上し、梯子の使用状態の安全性を可及的に確保することができる梯子の転倒防止装置を提供する。【解決手段】所定の間隔をおいて対向する左右の支柱Ｗ１間に対し、多数本の踏桟Ｗ２が上下方向に所定の間隔をおいて掛装された梯子Ｗであって、梯子Ｗの左右の支柱Ｗ１に対し装脱可能であり、支柱Ｗ１の側面外方に延出される左右一対の支持棒２と、左右一対の支持棒２にそれぞれ組付けられかつそれぞれ梯子Ｗの支柱Ｗ１に固止される左右の固止手段４と、左右一対の支持棒２における支柱Ｗ１の側面外方に延出された部位に垂設されて梯子Ｗの下端とともに接地される基盤５を有しかつ上下方向の位置調節可能な左右のアウトリガー手段６とを備える。【選択図】図１
2011102478.tif 000002
【特許請求の範囲】
【請求項１】
所定の間隔をおいて対向する左右の支柱間に対して多数本の踏桟が上下方に所定の間隔をおいて掛装された梯子において、
前記梯子の左右の支柱に対し装脱可能であり、支柱の側面外方に延出される左右一対の支持棒と、
前記左右一対の支持棒に一端部それぞれ組付けられかつそれぞれ前記梯子の支柱に固止される左右の固止手段と、
前記左右一対の支持棒における支柱の側面外方に延出された部位に垂設されて前記梯子の下端とともに接地される基盤を有しかつ上下方向の位置調節可能な左右のアウトリガー手段と、
を備えてなる特徴とする梯子の転倒防止装置。
【請求項２】
所定の間隔をおいて対向する左右の支柱間に対して多数本の中空状の踏桟が上下方向に所定の間隔をおいて掛装された梯子において、
前記梯子の左右の支柱に対し装脱可能であり、一方が前記支柱から前記踏桟の中空部内に挿入され他方が該支柱の側面外方に延出された左右一対の支持棒と、
前記踏桟の中空部内における左右の支持棒の端部を結合する結合手段と、
前記左右一対の支持棒にそれぞれ組付けられかつそれぞれ前記梯子の支柱に固止される左右の固止手段と、
前記左右一対の支持棒における支柱の側面外方に延出された部位に垂設されて前記梯子の下端とともに接地される基盤を有しかつ上下方向の位置調節可能な左右のアウトリガー手段と、
を備えてなる特徴とする梯子の転倒防止装置。
【請求項３】
請求項１又は２記載の梯子の転倒防止装置であって、前記左右それぞれのアウトリガー手段は、前記支柱の側面外方に延出された部位の支持棒に対しその軸線方向のスライド可能に装設されて同方向に位置調節可能に構成されていることを特徴とする梯子の転倒防止装置。
【請求項４】
請求項１〜３のいずれか一の請求項記載の梯子の転倒防止装置であって、
前記梯子の支柱に固止される左右の固止手段間には、一方の固止手段に対して傾動可能に設けられかつ他方の固止手段に対して係合可能な係合部を有する係止アームが装設されていることを特徴とする梯子の転倒防止装置。
【請求項５】
請求項２記載の梯子の転倒防止装置であって、前記踏桟の中空部内における左右の支持棒の端部の結合手段は、一方側の支持棒端部にその軸線方向に突設された連結ピンと、他方側の支持棒端部にその軸線方向に形成された嵌合孔とから構成され、前記連結ピンが前記嵌合孔に対し抜脱可能でかつその嵌合長さ調節可能に嵌挿されていることを特徴とする梯子の転倒防止装置。
【発明の詳細な説明】
【技術分野】
【０００１】
本発明は、梯子を例えば、建物の屋根等や架設された通信用の通線等の設置対象物に立て掛けた使用状態において、該梯子の転倒を未然に防止するための梯子の転倒防止装置に関する。
【背景技術】
【０００２】
一般に、この種の梯子にあっては、梯子を構成する左右両側の支柱の下部に対し幅広の滑り止め具が装着されてその転倒防止の手段として採用されている。
そして、この転倒防止をさらに強化する手段として、従来から種々のものが案出されており、例えば、梯子の下部において、梯子の支柱にそれぞれ支脚を取付け、該支脚の設置部側を前記梯子における支柱の設置点の外側後方にアウトリガー形式の形態で設置する構造の装置が案出されている（特許文献１参照）。
また、縦格子状に枠組みした補助器具本体の両側下部にアウトリガー手段を設け、この補助器具本体全体を、フック部材を介して梯子に引掛けて取付ける構造のものが案出されている（特許文献２参照）。
【先行技術文献】
【特許文献】
【０００３】
【特許文献１】特開２００５−１３９８１２号公報
【特許文献２】特開２００３−１３９８２号公報
【発明の概要】
【発明が解決しようとする課題】
【０００４】
しかしながら、特許文献１に示された手段にあっては、設置対象物に対し、梯子を支脚によるアウトリガー形式とする構成によりある程度安定した状態で立て掛けることができるものの、その設置面によっては梯子が後方および左右方向に揺らぐ当の事態が生起することは避けられず、さらには、装置の組付けにあっては梯子自体の加工を伴うものであり、その運搬等に多大の弊害を及ぼす原因ともなっており、同様に特許文献２に示された手段にあっては、ある程度安定した状態で立て掛けることができるものの、補助器具本体全体がフック部材を介して梯子に引掛けて取付けられるものであるから、その取付け状態の安定化に欠けるとともに、構造上相当な重量の増大化は避けられず、依然としてその運搬等に多大の弊害を及ぼす原因ともなっており、その取扱いの点や安全性の確保の点において満足するには至っていないのが現状である。
そこで、本発明は、このような問題点に鑑み、既存の梯子に特別な加工を要することなく、梯子に対する取付け状態の確実化及びその運搬時の取扱いの利便性を大幅に向上することができるとともに、梯子の使用状態の安全性を可及的に確保することができる梯子の転倒防止装置を提供することを課題とする。
【課題を解決するための手段】
【０００５】
上記した課題は、各請求項記載の発明によって解決される。
すなわち、請求項１に係る発明は、所定の間隔をおいて対向する左右の支柱間に対して多数本の踏桟が上下方に所定の間隔をおいて掛装された梯子において、前記梯子の左右の支柱に対し装脱可能であり、支柱の側面外方に延出される左右一対の支持棒と、前記左右一対の支持棒に一端部それぞれ組付けられかつそれぞれ前記梯子の支柱に固止される左右の固止手段と、前記左右一対の支持棒における支柱の側面外方に延出された部位に垂設されて前記梯子の下端とともに接地される基盤を有しかつ上下方向の位置調節可能な左右のアウトリガー手段とを備えたことを要旨とするものである。
【０００６】
この構成によれば、左右の支持棒を左右の固止手段を介して梯子の支柱に固止するとともに、該支柱の側面外方に延出された左右の支持棒におけるアウトリガー手段をその上下方向の位置（高さ）を調節しながら、その基盤を前記梯子の下端とともに接地することにより、使用場所に立て掛けられた梯子に対して取付ける（装着する）ことができるものであり、梯子の支柱の左右に張り出した支持棒におけるアウトリガー手段によってその設置状態を確保し得るものである。
これによって、転倒防止装置全体を梯子とは別体に運搬するとともに、その梯子の使用場所において簡単に装着し、使用後も簡単に梯子から取外すことができるものである。
【０００７】
請求項２に記載の発明は、所定の間隔をおいて対向する左右の支柱間に対して多数本の中空状の踏桟が上下方向に所定の間隔をおいて掛装された梯子において、前記梯子の左右の支柱に対し装脱可能であり、一方が前記支柱から前記踏桟の中空部内に挿入され他方が該支柱の側面外方に延出された左右一対の支持棒と、前記踏桟の中空部内における左右の支持棒の端部を結合する結合手段と、前記左右一対の支持棒にそれぞれ組付けられかつそれぞれ前記梯子の支柱に固止される左右の固止手段と、前記左右一対の支持棒における支柱の側面外方に延出された部位に垂設されて前記梯子の下端とともに接地される基盤を有しかつ上下方向の位置調節可能な左右のアウトリガー手段とを備えたことを要旨とするものである。
【０００８】
この構成によれば、左右の支持棒を前記梯子の踏桟の中空部内にそれぞれ挿入するとともに、その踏桟の中空部内において左右の支持棒の端部を結合手段により結合する。そして、左右の固止手段を介してその左右の支持棒自体を梯子の支柱に固止するとともに、該支柱の側面外方に延出された左右の支持棒におけるアウトリガー手段をその上下方向の位置（高さ）を調節しながら、その基盤を前記梯子の下端とともに接地することにより、使用場所に立て掛けられた梯子に対して取付ける（装着する）ことができるものであり、梯子の支柱の左右に張り出した支持棒におけるアウトリガー手段によってその設置状態を確保し得るものである。
これによって、前記請求項１と同様に、転倒防止装置全体を梯子とは別体に運搬するとともに、その梯子の使用場所において簡単に装着し、使用後も簡単に梯子から取外すことができるものである。
【０００９】
請求項３に記載の発明は、請求項１又は２記載の梯子の転倒防止装置であって、前記左右それぞれのアウトリガー手段は、前記支柱の側面外方に延出された部位の支持棒に対しその軸線方向のスライド可能に装設されて同方向に位置調節可能に構成されていることを要旨とするものである。
【００１０】
この構成によれは、支持棒に対するアウトリガー手段の位置を任意に設定（位置調整）
することが可能であるため、アウトリガー手段の基盤が設置される場所、すなわち、その接地面を最良状態の位置に簡単に設定することができるものである。
【００１１】
請求項４に記載の発明は、請求項１〜３のいずれか一の請求項記載の梯子の転倒防止装置であって、前記梯子の支柱に固止される左右の固止手段間には、一方の固止手段に対して傾動可能に設けられかつ他方の固止手段に対して係合可能な係合部を有する係止アームが装設されていることを要旨とするものである。
【００１２】
この構成によれは、梯子の左右の両支柱に対し左右の支持棒をそれぞれ固止する固止部材を、係止アームにより連結状態で係止することによって、該梯子の左右の両支柱に対する左右の支持棒の固止状態を確実になし得るものである。
【００１３】
請求項５に記載の発明は、請求項２記載の梯子の転倒防止装置であって、前記踏桟の中空部内における左右の支持棒の端部の結合手段は、一方側の支持棒端部にその軸線方向に突設された連結ピンと、他方側の支持棒端部にその軸線方向に形成された嵌合孔とから構成され、前記連結ピンが前記嵌合孔に対し抜脱可能でかつその嵌合長さ調節可能に嵌挿されていることを要旨とするものである。
【００１４】
この構成によれば、踏桟の中空部内における左右の支持棒端部どうしの結合を簡単になし得るとともに、左右の支持棒全体の長さを任意に調整し得るので、使用する梯子の異なる支柱間幅に簡単に対応することができるものである。
【発明の効果】
【００１５】
請求項１記載の発明においては、転倒防止装置全体を梯子とは別体に運搬することができるとともに、その梯子の使用場所において簡単に装着してその転倒防止機能を十分に発揮して使用後も簡単に梯子から取外すことができる。
このことは、既存の梯子に特別な加工を要することなく、梯子に対する取付け状態の確実化及びその運搬時の取扱いの利便性を大幅に向上することができ、梯子の使用状態の安全性を可及的に確保することができる。
【００１６】
請求項２記載の発明によれば、前記請求項１と同様に、転倒防止装置全体を梯子とは別体に運搬することができるとともに、その梯子の使用場所において簡単に装着してその転倒防止機能を十分に発揮して使用後も簡単に梯子から取外すことができる。
このことは、既存の梯子に特別な加工を要することなく、梯子に対する取付け状態の確実化及びその運搬時の取扱いの利便性を大幅に向上することができ、梯子の使用状態の安全性を可及的に確保することができる。
【００１７】
請求項３記載の発明によれば、アウトリガー手段の基盤が設置される場所、すなわち、その接地面を最良状態の位置に簡単に設定することができる。
【００１８】
請求項４記載の発明によれば、梯子の左右の両支柱に対する左右の支持棒の固止状態をさらに確実化することができる。
【００１９】
請求項５記載の発明によれば、左右の支持棒全体の長さを任意に調整し得、使用する梯子の異なる支柱間幅に簡単に対応することができる。
【図面の簡単な説明】
【００２０】
【図１】本例の転倒防止装置を梯子に装着した状態の斜視図である。
【図２】同じく、正面図である。
【図３】同じく、平断面図である。
【図４】本例の転倒防止装置を梯子から取外した状態の平面図である。
【図５】図２のＡ−Ａ線断面図である。
【図６】図２のＢ−Ｂ線断面図である。
【発明を実施するための形態】
【００２１】
次に、本発明を実施するための最良の形態について、図面にしたがって説明する。
図１は転倒防止装置を梯子に装着した状態の斜視図、図２は同じく、正面図、図３は平断面図、図４は転倒防止装置を梯子から取外した状態の平面図、図５は図２のＡ−Ａ線断面図、図６は図２のＢ−Ｂ線断面図である。
まず、本例の梯子の転倒防止装置１が装着される梯子Ｗについて説明すると、梯子Ｗは、平断面ほぼチャンネル状（コ字状）のアルミニウム製からなりかつ所定の間隔をおいて対向する左右の支柱Ｗ１、Ｗ１と、この左右の支柱Ｗ１、Ｗ１間に対し、同じくアルミニウム製の中空状に形成されかつ上下方向に所定の間隔をおいて掛装された多数本の踏桟Ｗ２とから構成されており、該踏桟Ｗ２の中空部が前記支柱Ｗ１、Ｗ１の側面にそのまま孔として露出されている。なお、転倒防止装置１全体としては、前記梯子Ｗの左右の支柱Ｗ１、Ｗ１に対し装脱可能に構成されるものである。
【００２２】
そして、図１〜図６に示すように、本例の梯子の転倒防止装置１は、一方が前記支柱Ｗ１、Ｗ１から前記踏桟Ｗ２の中空部内に挿入され他方が該支柱Ｗ１、Ｗ１の側面外方に延出された左右一対の支持棒２、２と、前記踏桟Ｗ２の中空部内における左右の支持棒２、２の端部を結合する結合手段３と、前記左右一対の支持棒２、２にそれぞれ組付けられかつそれぞれ前記梯子Ｗの支柱Ｗ１、Ｗ１に固止される左右の固止手段４、４と、前記左右一対の支持棒２、２における支柱支柱Ｗ１、Ｗ１の側面外方に延出された部位に垂設されて前記梯子Ｗの下端とともに接地される基盤５、５を有しかつ上下方向の位置調節可能な左右のアウトリガー手段６、６とからその主体部が構成されている。
【００２３】
前記左右一対の支持棒２、２は金属製の材料から所定の長さに形成されており、前記踏桟Ｗ２の中空部内に挿入される一方端部からほぼ中央部までの軸部２ａが断面円形状に形成され、該支柱Ｗ１、Ｗ１の側面外方に延出される他方端部からほぼ中央部までの軸部２ｂが断面矩形状に形成されている。
なお、この左右一対の支持棒２、２はパイプ材から形成することも可能である。
【００２４】
左右の支持棒２、２の端部を結合する結合手段３は、一方側（図では右側をいう。）の支持棒２端部にその軸線方向に突設された連結ピン７と、他方側（図では左側をいう。）の支持棒２端部にその軸線方向に形成された嵌合孔８とから構成され、該連結ピン７が該嵌合孔８に対し抜脱可能でかつその嵌合長さ（深さ）調節可能に嵌挿されるように構成されている。
【００２５】
前記左右の固止手段４、４は、前記支持棒２における断面矩形状の軸部２ｂのほぼ中央部、すなわち、断面丸状の軸部２ａと断面矩形状の軸部２ｂとの境界部位に固設された平断面コ字状のブラケット９と、該ブラケット９の一方の片に螺入された固止ボルト１０から構成され、このそれぞれのブラケット９が前記梯子Ｗの支柱Ｗ１、Ｗ１に対しその外側を挟持するように嵌合して、固止ボルト１０の締め付けにより固止するように構成されている。
なお、固止手段４、４における固止ボルト１０は、図では、ブラケット９の前面側及び後面側の２箇所に設けた場合を示すが、これに限定するものではなく、一箇所に設ける構造とすることもできる。この場合、ブラケット９における固止ボルト１０を設けた片と対面する面は、梯子Ｗへの取付けにあって、その支柱Ｗ１の側面に直接的に当接されるものである。
【００２６】
前記左右のアウトリガー手段６は、左右の支持棒２、２における前記支柱Ｗ１、Ｗ１の側面外方に延出された断面矩形状の軸部２ｂに嵌合された左右面が開放されたボックス状の可動ブラケット１１と、該可動ブラケット１１における一方側片の上下に形成されたナット状のねじ筒１２に対し上下方向の立設状態で螺合されたねじ軸１３と、このねじ軸１３の下端に該ねじ軸１３を中心とする自在方向に傾動可能に支承された基板５と、ねじ軸１３の上端に設けられた平板状の操作摘み部材１４と、可動ブラケット１１の他方側片に螺入された固止ボルト１５とから構成されており、該可動ブラケット１１が支持棒２に対しその軸線方向のスライド可能に装設されて同方向への位置調節可能とされるとともに、固止ボルト１５の締め付けにより固止するように構成されている。
そして、左右のアウトリガー手段６は、ねじ軸１３をねじ筒１２に対して上下方向に螺進或いは螺退することにより基盤５の上下の位置（高さ）が調節されるものである。
【００２７】
前記梯子Ｗの支柱Ｗ１、Ｗ１に固止される左右の固止手段４、４間には、係止アーム１６が配設されており、この係止アーム１６は、一方端部が前記一方の固止手段４の固止ボルト１０に対して長孔１７を介して傾動可能に支承されかつ他方端部に形成された係合溝部１８が他方の固止手段４の固止ボルト１０に対して係合可能に対向するように構成されている。
なお、図では、係止アーム１６は、左右の固止手段４、４間の前面側及び後面側の２箇所に設けた場合を示すが、これに限定するものではなく、一箇所に設ける構造とすることもできる。
【００２８】
本例の転倒防止装置１は上述のように構成されたものであり、該転倒防止装置１全体として梯子Ｗに対して装脱可能に構成されるものであるから、その使用に際しては、梯子Ｗ
とは別体として該梯子Ｗとともに運搬するものである。
【００２９】
そして、梯子Ｗをその使用場所に立て掛けた状態において、左右の支持棒２、２におけ軸部２ａを梯子Ｗの最下段に位置する踏桟Ｗ２の中空部内にそれぞれ挿入するとともに、その踏桟Ｗ２の中空部内において一方の支持棒２の連結ピン７を他方の支持棒２の嵌合孔８に嵌挿することによって両端部を結合する。
この状態においては、その嵌合長さが調節可能に嵌挿できるように構成されているため、左右の支持棒２、２全体の長さを任意に調整し得るので、使用する梯子Ｗの異なる支柱Ｗ１、Ｗ１間幅に簡単に対応することができるものである。
【００３０】
そして、左右の固止手段４、４におけるそれぞれのブラケット９を前記梯子Ｗの支柱Ｗ１、Ｗ１に対しその外側を挟持するように嵌合して、固止ボルト１０の締め付けにより固止する。
さらに、アウトリガー手段６、６全体を支持棒２に対しその軸線方向の操作摘み部材１４を利用してスライドして同方向への位置調節を行って位置設定して固止ボルト１４の締め付けにより梯子Ｗの支柱Ｗ１、Ｗ１に対し固止するとともに、ねじ軸１３をねじ筒１２に対して上下方向に螺進或いは螺退することにより基盤５の上下の位置（高さ）の上下方向の位置（高さ）を調節しながら、その基盤５を前記梯子Ｗの下端とともに接地することにより、前記使用場所に立て掛けられた梯子Ｗに対して取付ける（装着する）ものある。
この場合、アウトリガー手段６、６の基盤５、５が設置される場所、すなわち、種々の障害条件を避けてその接地面を最良状態の位置を選択して簡単に設定することができるものである。
【００３１】
そして、一方の固止手段４に支承された係止アーム１６を回動してその係合溝部１８を他方の固止手段４の固止ボルト１０に対して係合する。この場合、係止アーム１６は固止ボルト１０、１０の締付け動作によりともに強固に固止される。これによって、梯子Ｗの
両支柱Ｗ１、Ｗ１に対する左右の支持棒２、２の固止状態をさらに確実化することができるものである。
【００３２】
このようにして、梯子Ｗの支柱Ｗ１、Ｗ１に対し、転倒防止装置１全体を簡単に装着することができ、該梯子Ｗの支柱Ｗ１、Ｗ１から左右に張り出した支持棒２、２におけるアウトリガー手段６、６によって、梯子Ｗの使用場所においてその転倒防止機能を十分に発揮し得るものである。また、使用後にあっても、アウトリガー手段６、６を装備した支持棒２、２を梯子Ｗに対し簡易に取外すことができ、その運搬等の作業に対応するものである。
【００３３】
なお、上記した実施の形態において、左右の支持棒２、２を梯子Ｗの踏桟Ｗ２の中空部内に挿入する態様について説明したが、この左右の支持棒２、２にあっては、図示しないが該中空部内に挿入する軸部２ａを削除し、該左右の支持棒２、２の断面矩形状に形成された軸部２ｂの一方側端部に前記固止手段４、４を構成する平断面コ字状のブラケット９をそれぞれ装設する構造とすることもできる。
この場合は、中空状に形成されていない踏桟Ｗ２を採用した梯子Ｗに簡易に対応することができるものである。
なお、上記した左右の支持棒２、２における軸部２ｂの形状は断面矩形状に限定するものではない。
【００３４】
そして、上記した実施例について、各部の部材構成は、本発明における発明の主旨を逸脱しない範囲において種々変更が可能である。
【符号の説明】
【００３５】
１  転倒防止装置
２  支持棒
３  結合手段
４  固止手段
５  基盤
６  アウトリガー手段
Ｗ  梯子
Ｗ１  支柱
Ｗ２  踏桟
【図１】
2011102478.tif 000003
【図２】
2011102478.tif 000004
【図３】
2011102478.tif 000005
【図４】
2011102478.tif 000006
【図５】
2011102478.tif 000007
【図６】
2011102478.tif 000008